(57)【特許請求の範囲】
【請求項１】
平面視して矩形のブロック本体の対角線の一方の角部Ａで交わる２つの側辺の下部側にそれぞれ第１、第２のフランジ部、及び該第１、第２のフランジ部を接続する第１の接続部を突出させ、前記対角線の他方の角部で交わる２つの側辺で前記第１、第２のフランジ部に対向する側の上部側にそれぞれ第３、第４のフランジ部、及び該第３、第４のフランジ部を接続する第２の接続部を突出させた同一形状のブロックを縦横に並べて形成されるブロック構造体であって、
基準となるブロックの前記角部Ａに形成された第１のフランジ部の上に、横方向に連接するブロックの第３のフランジ部を被せ、前記基準となるブロックの第２のフランジ部の上に縦方向に連接するブロックの第４のフランジ部を被せて、
前記縦方向に連接するブロックの第１のフランジ部と前記横方向に連接するブロックの第２のフランジ部の上に、前記角部Ａの延長方向にあるブロックの第３、第４のフランジ部を被せ、更に、前記縦方向に連接するブロックの第１のフランジ部及び前記横方向に連接するブロックの第２のフランジ部に、それぞれの端部を延長して、前記基準となるブロックの角部Ａに位置する第１の接続部を覆う隙間覆い部を設け、
前記第１のフランジ部の端部から突出する隙間覆い部、及び前記第２のフランジ部の端部から突出する隙間覆い部は、前記第４のフランジ部、及び前記第３のフランジ部の端部にそれぞれ一体的に連接し、しかも、前記第４のフランジ部、及び前記第３のフランジ部の端部は肉厚となって、前記隙間覆い部の厚みを確保していることを特徴とするブロック構造体。
【請求項２】
請求項１記載のブロック構造体において、前記第１のフランジ部の端部から突出する隙間覆い部及び前記第２のフランジ部の端部から突出する隙間覆い部は、平面視して、それぞれ斜面が係合する三角形状となっていることを特徴とするブロック構造体。
【請求項３】
請求項１記載のブロック構造体において、前記第１のフランジ部の端部から突出する隙間覆い部及び前記第２のフランジ部の端部から突出する隙間覆い部は、平面視して係合する矩形となっていることを特徴とするブロック構造体。
【請求項４】
請求項１記載のブロック構造体において、前記第１のフランジ部の端部から突出する隙間覆い部及び前記第２のフランジ部の端部から突出する隙間覆い部は、段違いに重なることを特徴とするブロック構造体。
【請求項５】
請求項１〜４のいずれか１項に記載のブロック構造体において、前記第１、第２のフランジ部は、前記第１の接続部に向って上面が下り傾斜しており、前記第３、第４のフランジ部は、前記第２の接続部に向って下面が上り傾斜して、前記第１、第３のフランジ部及び前記第２、第４のフランジ部がそれぞれ係合することを特徴とするブロック構造体。
【請求項６】
請求項４記載のブロック構造体において、前記第２のフランジ部は、前記第１の接続部に向って上面が下り傾斜しており、前記第４のフランジ部は、前記第２の接続部に向って下面が上り傾斜して、係合する前記第１、第３のフランジ部はそれぞれ均一厚みとなって、係合する前記第２、第４のフランジ部は係合面が斜面となっていることを特徴とするブロック構造体。
【請求項７】
平面視して矩形のブロック本体の対角線の一方の角部Ａで交わる２つの側辺の下部側にそれぞれ第１、第２のフランジ部、及び該第１、第２のフランジ部を接続する第１の接続部を突出させ、前記対角線の他方の角部で交わる２つの側辺で前記第１、第２のフランジ部に対向する側の上部側にそれぞれ第３、第４のフランジ部、及び該第３、第４のフランジ部を接続する第２の接続部を突出させたブロックであって、前記第１のフランジ部及び前記第２のフランジ部に、それぞれの端部を延長して隙間覆い部を設け、該ブロックを縦横に並べた場合、隣り合う該ブロックの第１の接続部を覆い、前記第１のフランジ部の端部から突出する隙間覆い部、及び前記第２のフランジ部の端部から突出する隙間覆い部は、前記第４のフランジ部、及び前記第３のフランジ部の端部にそれぞれ一体的に連接し、しかも、前記第４のフランジ部、及び前記第３のフランジ部の端部は肉厚となって、前記隙間覆い部の厚みを確保していることを特徴とするブロック。
【請求項８】
請求項７記載のブロックにおいて、前記第１のフランジ部の端部から突出する隙間覆い部及び前記第２のフランジ部の端部から突出する隙間覆い部は、平面視して、それぞれ斜面が係合する三角形状となっていることを特徴とするブロック。
【請求項９】
請求項７記載のブロックにおいて、前記第１のフランジ部の端部から突出する隙間覆い部及び前記第２のフランジ部の端部から突出する隙間覆い部は、平面視して係合する矩形となっていることを特徴とするブロック。
【発明の詳細な説明】
【技術分野】
【０００１】
本発明は、例えば、歩道、公園や各種広場の遊歩道、花壇内の作業通路に敷いて、雑草の繁茂を防止するブロック構造体及びそれに使用するブロックに関する。
【背景技術】
【０００２】
従来、歩行時の反撥性を抑え、意匠性及び景観に配慮した歩道や遊歩道を整備する場合、舗装用のブロックを歩道や遊歩道の路盤上に敷く工法が行なわれている。このとき、ブロックの側壁の形状を、例えば波形にして、ブロックの側壁に形成される窪み部に隣接するブロックの側壁に形成される膨出部が当接するようにして、路盤上に敷いたブロックの平面的なずれを防止している。しかし、舗装後時間が経過すると、各ブロックに浮き上がりや沈み込みが発生するという問題が生じる。そこで、ブロックの側壁の上下方向に凸部と凹部をそれぞれ形成して、ブロックの凸部を隣接するブロックの凹部に嵌入させながら路盤上に並べることで、ブロックの平面的なずれを防止すると共に、浮き上がり及び沈み込みも防止できるブロックが提案されている（例えば、特許文献１参照）。
【０００３】
【特許文献１】実開平６−１８４０６号公報
【発明の開示】
【発明が解決しようとする課題】
【０００４】
しかしながら、特許文献１に記載された考案では、ブロック間の表面に現われる継目（目地）の一部は路盤まで貫通しているため、路盤内で発芽した雑草の芽は貫通する継目を通ってブロック表面に達して成長することができ、路盤上にブロックを敷き詰めても雑草の繁茂を防止できないという問題が生じる。そして、一旦繁茂した雑草は、刈り取っても根が路盤内に残っているので再び成長し、雑草を引き抜くと路盤内に張った根が引き抜かれる際に路盤が押し上げられるため雑草の周囲のブロックが浮き上がった状態となる。このため、雑草を完全に除去するには、敷き並べたブロックを路盤から取り外して雑草を取り除き、再度ブロックを敷き並べるという大掛かりな作業が必要になる。一方、大掛かりな作業を行なわないようにするには、頻繁に雑草の成長状態を監視し、雑草が大きく成長しない間に抜き取る必要が生じる。従って、いずれの方法を採用するにしても、メンテナンスに要する費用が増大するという問題がある。
【０００５】
本発明はかかる事情に鑑みてなされたもので、平面的なずれ及び浮き上がり沈み込みを防止すると共に雑草の繁茂も防止することが可能なブロック構造体及びそれに使用するブロックを提供することを目的とする。
【課題を解決するための手段】
【０００６】
前記目的に沿う第１の発明に係るブロック構造体は、平面視して矩形のブロック本体の対角線の一方の角部Ａで交わる２つの側辺の下部側にそれぞれ第１、第２のフランジ部、及び該第１、第２のフランジ部を接続する第１の接続部を突出させ、前記対角線の他方の角部で交わる２つの側辺で前記第１、第２のフランジ部に対向する側の上部側にそれぞれ第３、第４のフランジ部、及び該第３、第４のフランジ部を接続する第２の接続部を突出させた同一形状のブロックを縦横に並べて形成されるブロック構造体であって、
基準となるブロックの前記角部Ａに形成された第１のフランジ部の上に、横方向に連接するブロックの第３のフランジ部を被せ、前記基準となるブロックの第２のフランジ部の上に縦方向に連接するブロックの第４のフランジ部を被せて、
前記縦方向に連接するブロックの第１のフランジ部と前記横方向に連接するブロックの第２のフランジ部の上に、前記角部Ａの延長方向にあるブロックの第３、第４のフランジ部を被せ、更に、前記縦方向に連接するブロックの第１のフランジ部及び前記横方向に連接するブロックの第２のフランジ部に、それぞれの端部を延長して、前記基準となるブロックの角部Ａに位置する第１の接続部を覆う隙間覆い部を設け、
前記第１のフランジ部の端部から突出する隙間覆い部、及び前記第２のフランジ部の端部から突出する隙間覆い部は、前記第４のフランジ部、及び前記第３のフランジ部の端部にそれぞれ一体的に連接し、しかも、前記第４のフランジ部、及び前記第３のフランジ部の端部は肉厚となって、前記隙間覆い部の厚みを確保している。
【０００７】
【０００８】
第１の発明に係るブロック構造体において、前記第１のフランジ部の端部から突出する隙間覆い部及び前記第２のフランジ部の端部から突出する隙間覆い部は、平面視して、それぞれ斜面が係合する三角形状とすることができる。
また、前記第１のフランジ部の端部から突出する隙間覆い部及び前記第２のフランジ部の端部から突出する隙間覆い部は、平面視して係合する矩形とすることもできる。
更に、前記第１のフランジ部の端部から突出する隙間覆い部及び前記第２のフランジ部の端部から突出する隙間覆い部は、段違いに重なるようにすることもできる。
【０００９】
第１の発明に係るブロック構造体において、前記第１、第２のフランジ部は、前記第１の接続部に向って上面が下り傾斜しており、前記第３、第４のフランジ部は、前記第２の接続部に向って下面が上り傾斜して、前記第１、第３のフランジ部及び前記第２、第４のフランジ部がそれぞれ係合する構成とすることができる。
また、前記第２のフランジ部は、前記第１の接続部に向って上面が下り傾斜しており、前記第４のフランジ部は、前記第２の接続部に向って下面が上り傾斜して、係合する前記第１、第３のフランジ部はそれぞれ均一厚みとなって、係合する前記第２、第４のフランジ部は係合面が斜面となっている構成とすることもできる。
【００１０】
前記目的に沿う第２の発明に係るブロックは、平面視して矩形のブロック本体の対角線の一方の角部Ａで交わる２つの側辺の下部側にそれぞれ第１、第２のフランジ部、及び該第１、第２のフランジ部を接続する第１の接続部を突出させ、前記対角線の他方の角部で交わる２つの側辺で前記第１、第２のフランジ部に対向する側の上部側にそれぞれ第３、第４のフランジ部、及び該第３、第４のフランジ部を接続する第２の接続部を突出させたブロックであって、前記第１のフランジ部及び前記第２のフランジ部に、それぞれの端部を延長して隙間覆い部を設け、該ブロックを縦横に並べた場合、隣り合う該ブロックの第１の接続部を覆い、前記第１のフランジ部の端部から突出する隙間覆い部、及び前記第２のフランジ部の端部から突出する隙間覆い部は、前記第４のフランジ部、及び前記第３のフランジ部の端部にそれぞれ一体的に連接し、しかも、前記第４のフランジ部、及び前記第３のフランジ部の端部は肉厚となって、前記隙間覆い部の厚みを確保している。
【００１１】
【００１２】
第２の発明に係るブロックにおいて、前記第１のフランジ部の端部から突出する隙間覆い部及び前記第２のフランジ部の端部から突出する隙間覆い部は、平面視して、それぞれ斜面が係合する三角形状とすることができる。
また、前記第１のフランジ部の端部から突出する隙間覆い部及び前記第２のフランジ部の端部から突出する隙間覆い部は、平面視して係合する矩形とすることもできる。
【発明の効果】
【００１３】
請求項１〜６記載のブロック構造体、請求項７〜９記載のブロックにおいては、ブロックの第１のフランジ部は横方向に隣接するブロックの第３のフランジ部で覆われ、ブロックの第２のフランジ部は縦方向に隣接するブロックの第４のフランジ部で覆われ、ブロックの第１の接続部は横方向に隣接するブロックの第２のフランジ部の端部を延長した隙間覆い部と縦方向に隣接するブロックの第１のフランジ部の端部を延長した隙間覆い部で覆われるので、ブロック間の継目はブロックの表面から裏面に貫通しない。その結果、路盤内で発芽した雑草の芽はブロックの継目から容易に出ることができず、路盤をブロックで覆うことで雑草の繁茂を防止できる。
【００１４】
特に、請求項１記載のブロック構造体、請求項７記載のブロックにおいては、第１のフランジ部の端部から突出する隙間覆い部、及び第２のフランジ部の端部から突出する隙間覆い部は、第４のフランジ部、及び第３のフランジ部の端部にそれぞれ一体的に連接しているので、ブロック間の継目において点状に貫通する部分も形成されず、継目を確実に塞ぐことができる。その結果、路盤内で発芽した雑草の芽がブロックの継目から出ることを確実に防止できる。
【００１５】
請求項１記載のブロック構造体、請求項７記載のブロックにおいては、第４のフランジ部、及び第３のフランジ部の端部は肉厚となって、隙間覆い部の厚みを確保しているので、隙間覆い部の強度を高くすることができ、破損を防止できる。
【００１６】
請求項２記載のブロック構造体、請求項８記載のブロックにおいては、第１のフランジ部の端部から突出する隙間覆い部及び第２のフランジ部の端部から突出する隙間覆い部は、平面視して、それぞれ斜面が係合する三角形状となっているので、第１のフランジ部の隙間覆い部と第２のフランジ部の隙間覆い部がずれるのを防止できる。
【００１７】
請求項３記載のブロック構造体、請求項９記載のブロックにおいては、第１のフランジ部の端部から突出する隙間覆い部及び第２のフランジ部の端部から突出する隙間覆い部は、平面視して係合する矩形となっているので、第１のフランジ部の隙間覆い部と第２のフランジ部の隙間覆い部がずれるのを防止できる。
【００１８】
請求項４記載のブロック構造体においては、第１のフランジ部の端部から突出する隙間覆い部及び第２のフランジ部の端部から突出する隙間覆い部は、段違いに重なるので、第１のフランジ部の隙間覆い部と第２のフランジ部の隙間覆い部を強固に結合することができる。
【００１９】
請求項５記載のブロック構造体においては、第１、第２のフランジ部は、第１の接続部に向って上面が下り傾斜しており、第３、第４のフランジ部は、第２の接続部に向って下面が上り傾斜して、第１、第３のフランジ部及び第２、第４のフランジ部がそれぞれ係合するので、ブロック間の平面的なずれ及び浮き上がり沈み込みを防止することができる。
【００２０】
請求項６記載のブロック構造体においては、第２のフランジ部は、第１の接続部に向って上面が下り傾斜しており、第４のフランジ部は、第２の接続部に向って下面が上り傾斜して、係合する第１、第３のフランジ部はそれぞれ均一厚みとなって、係合する第２のフランジ部、第４のフランジ部は係合面が斜面となっているので、ブロック間の平面的なずれ及び浮き上がり沈み込みを防止することができる。
【発明を実施するための最良の形態】
【００２１】
続いて、添付した図面を参照しつつ、本発明を具体化した実施の形態につき説明し、本発明の理解に供する。
ここで、図１は本発明の第１の実施の形態に係るブロック構造体で基準となるブロックの縦方向に連接するブロックの第１のフランジ部と横方向に連接するブロックの第２のフランジ部の上に角部Ａの延長方向にあるブロックの第３、第４のフランジ部を被せる際の状態を示す斜視図、図２（Ａ）は同ブロック構造体に使用するブロックを角部Ａ側から見た際の斜視図、（Ｂ）は同ブロック構造体に使用するブロックを角部Ａの反対側から見た際の斜視図、図３は同ブロック構造体で基準となるブロックに横方向から連接したブロックの状態を示す斜視図、図４は同ブロック構造体で基準となるブロックに縦方向から連接したブロックの状態を示す斜視図、図５は本発明の第２の実施の形態に係るブロック構造体で基準となるブロックの縦方向に連接するブロックの第１のフランジ部と横方向に連接するブロックの第２のフランジ部の上に角部Ａの延長方向にあるブロックの第３、第４のフランジ部を被せる際の状態を示す斜視図、図６（Ａ）は同ブロック構造体に使用するブロックを角部Ａ側から見た際の斜視図、（Ｂ）は同ブロック構造体に使用するブロックを角部Ａの反対側から見た際の斜視図、図７は同ブロック構造体で基準となるブロックに横方向から連接したブロックの状態を示す斜視図、図８は同ブロック構造体で基準となるブロックに縦方向から連接したブロックの状態を示す斜視図、図９は本発明の第３の実施の形態に係るブロック構造体で基準となるブロックの縦方向に連接するブロックの第１のフランジ部と横方向に連接するブロックの第２のフランジ部の上に角部Ａの延長方向にあるブロックの第３、第４のフランジ部を被せる際の状態を示す斜視図、図１０（Ａ）は同ブロック構造体に使用するブロックを角部Ａ側から見た際の斜視図、（Ｂ）は同ブロック構造体に使用するブロックを角部Ａの反対側から見た際の斜視図、図１１は同ブロック構造体で基準となるブロックに横方向から連接したブロックの状態を示す斜視図、図１２は同ブロック構造体で基準となるブロックに縦方向から連接したブロックの状態を示す斜視図である。
【００２２】
図１に示すように、本発明の第１の実施の形態に係るブロック構造体１０は、図２（Ａ）、（Ｂ）に示すように、平面視して矩形のブロック本体１１の対角線の一方の角部Ａで交わる２つの側辺の下部側にそれぞれ第１、第２のフランジ部１２、１３、及び第１、第２のフランジ部１２、１３を接続する第１の接続部１４を突出させ、対角線の他方の角部で交わる２つの側辺で第１、第２のフランジ部１２、１３に対向する側の上部側にそれぞれ第３、第４のフランジ部１５、１６、及び第３、第４のフランジ部１５、１６を接続する第２の接続部１７を突出させた同一形状のブロック１８、１９、２０、２１を縦横に並べて形成されている。また、ブロック１８、１９、２０、２１はそれぞれ第１のフランジ部１２及び第２のフランジ部１３のそれぞれの端部を延長して隙間覆い部２２、２３を設けている。隙間覆い部２２、２３により、ブロック１８〜２１を縦横に並べた場合、隣り合うブロック１８〜２１の第１の接続部１４を覆うことができる。以下、詳細に説明する。
【００２３】
第１のフランジ部１２の端部から突出する隙間覆い部２２、及び第２のフランジ部１３の端部から突出する隙間覆い部２３は、それぞれ第４のフランジ部１６、及び第３のフランジ部１５の端部にそれぞれ一体的に連接し、隙間覆い部２２、２３の上面２４、２５は、第１、第２のフランジ部１２、１３の上面の延長面となって、隙間覆い部２２、２３の下面２６、２７は第４のフランジ部１６、第３のフランジ部１５の下面の延長面となっている。また、第４のフランジ部１６、及び第３のフランジ部１５の端部は肉厚となって、隙間覆い部２２、２３の厚みを確保している。更に、第１のフランジ部１２の端部から突出する隙間覆い部２２及び第２のフランジ部１３の端部から突出する隙間覆い部２３は、平面視して係合する矩形となっている。
【００２４】
ここで、第３、第４のフランジ部１５、１６及び第２の接続部１７の上面はブロック本体１１の上面と同一高さとなって、しかもブロック本体１１の上面に連接している。また、第１、第２のフランジ部１２、１３の上面２８、２９は、第１の接続部１４の上面角部先端Ｐが最低高さ位置となるように、上面角部先端Ｐに向って下り傾斜しており、第３、第４のフランジ部１５、１６の下面３０、３１は、第２の接続部１７の下面角部先端Ｑが最高高さ位置となるように、下面角部先端Ｑに向って上り傾斜している。そして、隣り合うブロックの第１、第３のフランジ部１２、１５及び第２、第４のフランジ部１３、１６は、それぞれ係合するようになっている（第１、第２のフランジ部１２、１３の上面２８、２９の傾斜角度と、第３、第４のフランジ部１５、１６の下面３０、３１の傾斜角度は同一となっている）。
【００２５】
続いて、ブロック構造体１０の構造及び作用について説明する。
ブロック１８〜２１において、第１、第３のフランジ部１２、１５及び第２、第４のフランジ部１３、１６は、それぞれ係合するようになっているので、図３に示すように、基準となるブロック１８の角部Ａに形成された第１のフランジ部１２の上に、横方向に連接するブロック１９の第３のフランジ部１５を当接させて被せることができ、図４に示すように、ブロック１８の第２のフランジ部１３の上に縦方向に連接するブロック２０の第４のフランジ部１６を当接させて被せることができる。
【００２６】
第１、第２のフランジ部１２、１３の上面の傾斜角度は等しい。そして、ブロック１９の第２のフランジ部１３の端部を延長した隙間覆い部２３とブロック２０の第１のフランジ部１２の端部を延長した隙間覆い部２２は、基準となるブロック１８の角部Ａに位置する第１の接続部１４上で互いに係合する。
【００２７】
また、ブロック１８の横方向にブロック１９、縦方向にブロック２０をそれぞれ連接すると、ブロック１８の角部Ａの外側において、ブロック１９の第２のフランジ部１３の上面２９、ブロック１９の隙間覆い部２３の上面２５、ブロック２０の第１のフランジ部１２の上面２８、及びブロック２０の隙間覆い部２３の上面２５は連接し、第１、第２のフランジ部１２、１３の上面２８、２９と同一の傾斜角度を有する一つの合体フランジ部を形成する。従って、この合体フランジ部の上に、角部Ａの延長方向にあるブロック２１の第３、第４のフランジ部１５、１６及び第２の接続部１７を当接させて被せることができる。
【００２８】
そして、図３に示すように、ブロック１８、１９の上面に現われる継目Ｍは、ブロック１８の第１のフランジ部１２の上方に位置するため、継目Ｍの先端はブロック１８の第１のフランジ部１２で塞がれる。また、図３、図４に示すように、ブロック１８、２０の上面に現われる継目Ｎは、ブロック１８の第２のフランジ部１３及びブロック１８に別の横方向から連接する図示しないブロックの第１の接続部の上方に位置するため、継目Ｎの先端はブロック１８の第２のフランジ部１３及び図示しないブロックの第１の接続部で塞がれる。
【００２９】
更に、図１に示すように、ブロック２１を被せた際に、ブロック２０、２１の上面に現われる継目Ｊはブロック２０の第１のフランジ部１２の上方に位置するため、この継目Ｊの先端はブロック２０の第１のフランジ部１２で塞がれる。一方、ブロック１９、２１の上面に現われる継目Ｋの一部はブロック１９の第２のフランジ部１３の上方に位置するため、ブロック１９の第２のフランジ部１３で塞がれる。また、角部Ａ側の継目Ｋはブロック１８の第１の接続部１４の上方に位置するため、角部Ａ側の継目Ｋの先端はブロック１８の第１の接続部１４で塞がれる。更に、角部Ａ側の継目Ｋの一部が、ブロック２０の第１のフランジ部１２の隙間覆い部２２とブロック１９の第２のフランジ部１３の隙間覆い部２３との継目Ｌに接続するが、継目Ｌの先端はブロック１８の第１の接続部１４で塞がれる。
【００３０】
従って、ブロック１８〜２１を並べてブロック構造体１０を形成した場合、ブロック１８の角部Ａで互いに接続する継目Ｊ、Ｋ、Ｍ、Ｎ及び継目Ｌの先端は全て塞がれブロック１８〜２１の表面から裏面に貫通しない。その結果、ブロック１８〜２１が敷かれた路盤内で雑草が発芽しても、雑草の芽はブロック１８〜２１の継目Ｊ、Ｋ、Ｌ、Ｍ、Ｎから出ることができず、雑草が繁茂することを防止できる。なお、第３、第４のフランジ部１５、１６及び第２の接続部１７の上面はブロック本体１１の上面と同一高さとなって、しかもブロック本体１１の上面に連接しているので、各ブロック１８〜２１の上面の高さ位置が揃うようにブロック１８〜２１を縦横に並べると、各ブロック１８〜２１の上面が連接した一つの平面を形成することができる。
【００３１】
図５に示すように、本発明の第２の実施の形態に係るブロック構造体３２は、図６（Ａ）、（Ｂ）に示すように、平面視して矩形のブロック本体３３の対角線の一方の角部Ａで交わる２つの側辺の下部側にそれぞれ第１、第２のフランジ部３４、３５、及び第１、第２のフランジ部３４、３５を接続する第１の接続部３６を突出させ、対角線の他方の角部で交わる２つの側辺で第１、第２のフランジ部３４、３５に対向する側の上部側にそれぞれ第３、第４のフランジ部３７、３８、及び第３、第４のフランジ部３７、３８を接続する第２の接続部３９を突出させた同一形状のブロック４０、４１、４２、４３を縦横に並べて形成されている。また、ブロック４０、４１、４２、４３はそれぞれ第１のフランジ部３４及び第２のフランジ部３５のそれぞれの端部を延長して隙間覆い部４４、４５を設けている。隙間覆い部４４、４５により、ブロック４０〜４３を縦横に並べた場合、隣り合うブロック４０〜４３の第１の接続部３６を覆うことができる。以下、詳細に説明する。
【００３２】
第１のフランジ部３４の端部から突出する隙間覆い部４４、及び第２のフランジ部３５の端部から突出する隙間覆い部４５は、それぞれ第４のフランジ部３８、及び第３のフランジ部３７の端部にそれぞれ一体的に連接し、隙間覆い部４４、４５の上面４６、４７は、第１、第２のフランジ部３４、３５の上面５０、５１の延長面となって、隙間覆い部４４、４５の下面４８、４９は第４、第３のフランジ部３８、３７の下面５３、５２の延長面となっている。また、第４のフランジ部３８、及び第３のフランジ部３７の端部は肉厚となって、隙間覆い部４４、４５の厚みを確保している。更に、第１のフランジ部３４の端部から突出する隙間覆い部４４及び第２のフランジ部３５の端部から突出する隙間覆い部４５は、平面視して、それぞれ斜面５４、５５が係合する三角形状となっている。
【００３３】
ここで、第３、第４のフランジ部３７、３８及び第２の接続部３９の上面はブロック本体３３の上面と同一高さとなって、しかもブロック本体３３の上面に連接している。また、第１、第２のフランジ部３４、３５の上面５０、５１は、第１の接続部３６の上面角部先端Ｐ１が最低高さ位置となるように、上面角部先端Ｐ１に向って下り傾斜しており、第３、第４のフランジ部３７、３８の下面５２、５３は、第２の接続部３９の下面角部先端Ｑ１が最高高さ位置となるように、下面角部先端Ｑ１に向って上り傾斜している。そして、隣り合うブロックの第１、第３のフランジ部３４、３７及び第２、第４のフランジ部３５、３８は、それぞれ係合するようになっている（第１、第２のフランジ部３４、３５の上面５０、５１の傾斜角度と、第３、第４のフランジ部３７、３８の下面５２、５３の傾斜角度は同一となっている）。
【００３４】
続いて、ブロック構造体３２の構造及び作用について説明する。
ブロック４０〜４３において、第１、第３のフランジ部３４、３７及び第２、第４のフランジ部３５、３８は、それぞれ係合するようになっているので、図７に示すように、基準となるブロック４０の角部Ａに形成された第１のフランジ部３４の上に、横方向に連接するブロック４１の第３のフランジ部３７を当接させて被せることができ、図８に示すように、ブロック４０の第２のフランジ部３５の上に縦方向に連接するブロック４２の第４のフランジ部３８を当接させて被せることができる。
【００３５】
第１、第２のフランジ部３４、３５の上面５０、５１の傾斜角度は等しい。そして、ブロック４１の第２のフランジ部３５の端部を延長した隙間覆い部４５とブロック４２の第１のフランジ部３４の端部を延長した隙間覆い部４４は、基準となるブロック４０の角部Ａに位置する第１の接続部３６上で互いに係合する。
【００３６】
また、ブロック４０の横方向にブロック４１、縦方向にブロック４２をそれぞれ連接すると、ブロック４０の角部Ａの外側において、ブロック４１の第２のフランジ部３５の上面５１、ブロック４１の隙間覆い部４５の上面４７、ブロック４２の第１のフランジ部３４の上面５０、及びブロック４２の隙間覆い部４４の上面４６は連接し、第１、第２のフランジ部３４、３５の上面５０、５１と同一の傾斜角度を有する一つの合体フランジ部を形成する。従って、この合体フランジ部の上に、角部Ａの延長方向にあるブロック４３の第３、第４のフランジ部３７、３８及び第２の接続部３９を当接させて被せることができる。
【００３７】
そして、図７に示すように、ブロック４０、４１の上面に現われる継目Ｍ１は、ブロック４０の第１のフランジ部３４の上方に位置するため、継目Ｍ１の先端はブロック４０の第１のフランジ部３４で塞がれる。また、図７、図８に示すように、ブロック４０、４２の上面に現われる継目Ｎ１は、ブロック４０の第２のフランジ部３５の上方及びブロック４０に別の横方向から連接する図示しないブロックの第１の接続部の上方に位置するため、継目Ｎ１の先端はブロック４０の第２のフランジ部３５及び図示しないブロックの第１の接続部で塞がれる。
【００３８】
更に、図５に示すように、ブロック４３を被せた際に、ブロック４２、４３の上面に現われる継目Ｊ１はブロック４２の第１のフランジ部３４の上方に位置するため、この継目Ｊ１の先端はブロック４２の第１のフランジ部３４で塞がれる。一方、ブロック４１、４３の上面に現われる継目Ｋ１はブロック４１の第２のフランジ部３５及びブロック４０の第１の接続部３６の上方に位置するため、ブロック４１の第２のフランジ部３５及びブロック４０の第１の接続部３６で塞がれる。更に、継目Ｋ１は、ブロック４１の第２のフランジ部３５の隙間覆い部４５とブロック４２の第１のフランジ部３４の隙間覆い部４４との継目Ｌ１に接続するが、継目Ｌ１の先端はブロック４０の第１の接続部３６で塞がれる。
【００３９】
従って、ブロック４０〜４３を並べてブロック構造体３２を形成した場合、ブロック４０の角部Ａで互いに接続する継目Ｊ１、Ｋ１、Ｍ１、Ｎ１及び継目Ｌ１の先端は全て塞がれブロック４０〜４３の表面から裏面に貫通しない。その結果、ブロック４０〜４３が敷かれた路盤内で雑草が発芽しても、雑草の芽はブロック４０〜４３の継目Ｊ１、Ｋ１、Ｌ１、Ｍ１、Ｎ１から出ることができず、雑草が繁茂することを防止できる。なお、第３、第４のフランジ部３７、３８及び第２の接続部３９の上面はブロック本体３３の上面と同一高さとなって、しかもブロック本体３３の上面に連接しているので、各ブロック４０〜４３の上面の高さ位置が揃うようにブロック４０〜４３を縦横に並べると、各ブロック４０〜４３の上面が連接した一つの平面を形成することができる。
【００４０】
図９に示すように、本発明の第３の実施の形態に係るブロック構造体５６は、図１０（Ａ）、（Ｂ）に示すように、平面視して矩形のブロック本体５７の対角線の一方の角部Ａで交わる２つの側辺の下部側にそれぞれ第１、第２のフランジ部５８、５９、及び第１、第２のフランジ部５８、５９を接続する第１の接続部６０を突出させ、対角線の他方の角部で交わる２つの側辺で第１、第２のフランジ部５８、５９に対向する側の上部側にそれぞれ第３、第４のフランジ部６１、６２、及び第３、第４のフランジ部６１、６２を接続する第２の接続部６３を突出させた同一形状のブロック６４、６５、６６、６７を縦横に並べて形成されている。また、ブロック６４、６５、６６、６７はそれぞれ第１のフランジ部５８及び第２のフランジ部５９のそれぞれの端部を延長して隙間覆い部６８、６９を設けている。隙間覆い部６８、６９により、ブロック６４〜６７を縦横に並べた場合、隣り合うブロック６４〜６７の第１の接続部６０を覆うことができる。以下、詳細に説明する。
【００４１】
第１のフランジ部５８の端部から突出する隙間覆い部６８、及び第２のフランジ部５９の端部から突出する隙間覆い部６９は、第４のフランジ部６２、及び第３のフランジ部６１の端部にそれぞれ一体的に連接し、隙間覆い部６８、６９の上面７０、７１は、第１、第２のフランジ部５８、５９の上面７２、７３の延長面となって、隙間覆い部６８、６９の下面７４、７５は第４、第３のフランジ部６２、６１の下面７７、７６の延長面となっている。また、第４のフランジ部６２、及び第３のフランジ部６１の端部は肉厚となって、隙間覆い部６８、６９の厚みを確保している。第３、第４のフランジ部６１、６２及び第２の接続部６３の上面はブロック本体５７の上面と同一高さとなって、しかもブロック本体５７の上面に連接している。
【００４２】
第２のフランジ部５９の上面７３は、第１の接続部６０の上面先端Ｔが最低高さ位置となるように、先端角部上面（上面先端）Ｔに向かって下り傾斜しており、第４のフランジ部６２の下面７７は、第２の接続部６３の下面先端Ｖが最高高さ位置となるように、下面先端Ｖに向って上り傾斜しており、第２のフランジ部５９の上面７３、第４のフランジ部６２の下面７７は斜面になって係合面となっている。また、第１のフランジ部５８の上面７２は、その上面角部先端Ｓに向かって第２のフランジ部５９の上面７３と同一の傾斜角度で下り傾斜面を形成しており、第３のフランジ部６１の下面７６は、その下面角部先端Ｕに向かって第２のフランジ部５９の上面７３と同一の傾斜角度で上り傾斜面を形成して、第１、第３のフランジ部５８、６１は係合可能になっている。なお、第１、第３のフランジ部５８、６１はその長手方向にそれぞれ均一厚みとなっている。
【００４３】
ここで、第２のフランジ部５９の上面７３、第１の接続部６０の上面、及び隙間覆い部６９の上面７１は連接し、第２のフランジ部５９の上面７３と同一の傾斜角度を有する一つの合体フランジ部を形成している。また、第４のフランジ部６２の下面７７、第２の接続部６３の下面、及び隙間覆い部６８の下面７４は連接し、第４のフランジ部６２の下面７７と同一の傾斜角度を有する一つの合体フランジ部を形成している。そして、第１の接続部６０の最低高さ（上面先端Ｔの高さ）を、第１のフランジ部５８の上面７２の高さより低くして、第１の接続部６０と第１のフランジ部５８の上面７２との間の段差の距離をＤとし、隙間覆い部６８、６９の厚みをＤとして、隣り合うブロックの第１、第３のフランジ部５８、６１及び第２、第４のフランジ部５９、６２をそれぞれ係合すると、第１の接続部６０の上面と隙間覆い部６８の下面７４が、隙間覆い部６８の上面７０と隙間覆い部６９の下面７５が、隙間覆い部６９の上面７１と第２の接続部６３の下面がそれぞれ係合する。その結果、第１のフランジ部５８の端部から突出する隙間覆い部６８及び第２のフランジ部５９の端部から突出する隙間覆い部６９は、段違いに重なる。
【００４４】
続いて、ブロック構造体５６の構造及び作用について説明する。
ブロック６４〜６７において、第１、第３のフランジ部５８、６１及び第２、第４のフランジ部５９、６２は、それぞれ係合するようになっているので、図１１に示すように、基準となるブロック６４の角部Ａに形成された第１のフランジ部５８の上に、横方向に連接するブロック６５の第３のフランジ部６１を当接させて被せることができ、図１２に示すように、第２のフランジ部５９の上に縦方向に連接するブロック６６の第４のフランジ部６２を当接させて被せることができる。
【００４５】
第１、第２のフランジ部５８、５９の上面の傾斜角度は等しい。そして、ブロック６５の第２のフランジ部５９の端部を延長した隙間覆い部６９とブロック６６の第１のフランジ部５８の端部を延長した隙間覆い部６８は、基準となるブロック６４の角部Ａに位置する第１の接続部６０上で段違いに重なり合う。
【００４６】
また、ブロック６４の横方向にブロック６５、縦方向にブロック６６をそれぞれ連接すると、ブロック６４の角部Ａの外側において、ブロック６５の隙間覆い部６９とブロック６６の隙間覆い部６８は重なり合い、ブロック６５の第２のフランジ部５９の上面７３及びブロック６５の隙間覆い部６９の上面７１と、ブロック６６の第１のフランジ部５８の上面７２は、段違いに連接する。従って、角部Ａの延長方向にあるブロック６７の第３、第４のフランジ部６１、６２及び第２の接続部６３を、ブロック６６の第１のフランジ部５８の上面７２、ブロック６５の第２のフランジ部５９の上面７３、ブロック６５の隙間覆い部６９の上面７１にそれぞれ当接させて被せることができる。
【００４７】
そして、図１１に示すように、ブロック６４、６５の上面に現われる継目Ｍ２は、ブロック６４の第１のフランジ部５８の上方に位置するため、継目Ｍ２の先端はブロック６４の第１のフランジ部５８で塞がれる。また、図１１、図１２に示すように、ブロック６４、６６の上面に現われる継目Ｎ２は、ブロック６４の第２のフランジ部５９の上方及びブロック６４の隙間覆い部６９の上方に位置するため、継目Ｎ２の先端はブロック６４の第２のフランジ部５９及び隙間覆い部６９で塞がれる。
【００４８】
更に、図９に示すように、ブロック６７を被せた際に、ブロック６６、６７の上面に現われる継目Ｊ２はブロック６６の第１のフランジ部５８の上方に位置するため、この継目Ｊ２の先端はブロック６６の第１のフランジ部５８で塞がれる。一方、ブロック６５、６７の上面に現われる継目Ｋ２はブロック６５の第２のフランジ部５９及びブロック６５の隙間覆い部６９の上方に位置するため、ブロック６５の第２のフランジ部５９及び隙間覆い部６９で塞がれる。更に、継目Ｊ２の一部はブロック６５の隙間覆い部６９との間に形成される継目Ｌ２に接続するが、継目Ｌ２の先端はブロック６４の第１の接続部６０で塞がれる。
【００４９】
従って、ブロック６４〜６７を並べてブロック構造体５６を形成した場合、ブロック６４の角部Ａで互いに接続する継目Ｊ２、Ｋ２、Ｍ２、Ｎ２及び継目Ｌ２の先端は全て塞がれブロック６４〜６７の表面から裏面に貫通しない。その結果、ブロック６４〜６７が敷かれた路盤内で雑草が発芽しても、雑草の芽はブロック６４〜６７の継目Ｊ２、Ｋ２、Ｌ２、Ｍ２、Ｎ２から出ることができず、雑草が繁茂することを防止できる。なお、第３、第４のフランジ部６１、６２及び第２の接続部６３の上面はブロック本体５７の上面と同一高さとなって、しかもブロック本体５７の上面に連接しているので、各ブロック６４〜６７の上面の高さ位置が揃うようにブロック６４〜６７を縦横に並べると、各ブロック６４〜６７の上面が連接した一つの平面を形成することができる。
【００５０】
以上、本発明を、実施の形態を参照して説明してきたが、本発明は何ら上記した実施の形態に記載した構成に限定されるものではなく、特許請求の範囲に記載されている事項の範囲内で考えられるその他の実施の形態や変形例も含むものである。
例えば、ブロック本体を平面視して正方形又は長方形とすることができるが、正方形、長方形に対応する各辺が曲線であるブロック本体を使用することもできる。
【図面の簡単な説明】
【００５１】
【図１】本発明の第１の実施の形態に係るブロック構造体で基準となるブロックの縦方向に連接するブロックの第１のフランジ部と横方向に連接するブロックの第２のフランジ部の上に角部Ａの延長方向にあるブロックの第３、第４のフランジ部を被せる際の状態を示す斜視図である。
【図２】（Ａ）は同ブロック構造体に使用するブロックを角部Ａ側から見た際の斜視図、（Ｂ）は同ブロック構造体に使用するブロックを角部Ａの反対側から見た際の斜視図である。
【図３】同ブロック構造体で基準となるブロックに横方向から連接したブロックの状態を示す斜視図である。
【図４】同ブロック構造体で基準となるブロックに縦方向から連接したブロックの状態を示す斜視図である。
【図５】本発明の第２の実施の形態に係るブロック構造体で基準となるブロックの縦方向に連接するブロックの第１のフランジ部と横方向に連接するブロックの第２のフランジ部の上に角部Ａの延長方向にあるブロックの第３、第４のフランジ部を被せる際の状態を示す斜視図である。
【図６】（Ａ）は同ブロック構造体に使用するブロックを角部Ａ側から見た際の斜視図、（Ｂ）は同ブロック構造体に使用するブロックを角部Ａの反対側から見た際の斜視図である。
【図７】同ブロック構造体で基準となるブロックに横方向から連接したブロックの状態を示す斜視図である。
【図８】同ブロック構造体で基準となるブロックに縦方向から連接したブロックの状態を示す斜視図である。
【図９】本発明の第３の実施の形態に係るブロック構造体で基準となるブロックの縦方向に連接するブロックの第１のフランジ部と横方向に連接するブロックの第２のフランジ部の上に角部Ａの延長方向にあるブロックの第３、第４のフランジ部を被せる際の状態を示す斜視図である。
【図１０】（Ａ）は同ブロック構造体に使用するブロックを角部Ａ側から見た際の斜視図、（Ｂ）は同ブロック構造体に使用するブロックを角部Ａの反対側から見た際の斜視図である。
【図１１】同ブロック構造体で基準となるブロックに横方向から連接したブロックの状態を示す斜視図である。
【図１２】同ブロック構造体で基準となるブロックに縦方向から連接したブロックの状態を示す斜視図である。
【符号の説明】
【００５２】
１０：ブロック構造体、１１：ブロック本体、１２：第１のフランジ部、１３：第２のフランジ部、１４：第１の接続部、１５：第３のフランジ部、１６：第４のフランジ部、１７：第２の接続部、１８、１９、２０、２１：ブロック、２２、２３：隙間覆い部、２４、２５：上面、２６、２７：下面、２８、２９：上面、３０、３１：下面、３２：ブロック構造体、３３：ブロック本体、３４：第１のフランジ部、３５：第２のフランジ部、３６：第１の接続部、３７：第３のフランジ部、３８：第４のフランジ部、３９：第２の接続部、４０、４１、４２、４３：ブロック、４４、４５：隙間覆い部、４６、４７：上面、４８、４９：下面、５０、５１：上面、５２、５３：下面、５４、５５：斜面、５６：ブロック構造体、５７：ブロック本体、５８：第１のフランジ部、５９：第２のフランジ部、６０：第１の接続部、６１：第３のフランジ部、６２：第４のフランジ部、６３：第２の接続部、６４、６５、６６、６７：ブロック、６８、６９：隙間覆い部、７０、７１：上面、７２、７３：上面、７４、７５：下面、７６、７７：下面
【図１】
0005026238.tif 000002
【図２】
0005026238.tif 000003
【図３】
0005026238.tif 000004
【図４】
0005026238.tif 000005
【図５】
0005026238.tif 000006
【図６】
0005026238.tif 000007
【図７】
0005026238.tif 000008
【図８】
0005026238.tif 000009
【図９】
0005026238.tif 000010
【図１０】
0005026238.tif 000011
【図１１】
0005026238.tif 000012
【図１２】
0005026238.tif 000013